(57)【要約】【課題】  イズの異なるソーラーパネルの設置が可能で、材料コスト及び輸送コストの低減化と工期の短縮が可能であり、かつ、ソーラーパネルに作用する風荷重等の自然現象に対する強度を高めることができるソーラーパネル設置構造及びソーラ-パネル設置方法の提供。【解決手段】  設置面に前後方向所定間隔で立設したコンクリート基礎１、１の上面左右方向に沿ってそれぞれ予めナット４０をスライド係止可能なレール部材が埋設固定され、コンクリート基礎１、１間にソーラーパネル７を取り付ける複数の根太材３をかけ渡した状態で該根太材３をレール部材１に対し押圧金具４でナット４０を利用してボルト４７で締め付け固定する。【選択図】      図７
2014145190.tif 000002
【特許請求の範囲】
【請求項１】
設置面に前後方向所定間隔で立設したコンクリート基礎の上面左右方向に沿ってそれぞれ予めナットをスライド係止可能なレール部材が埋設固定され、
前記コンクリート基礎間にソーラーパネルを取り付ける複数の根太材をかけ渡した状態で該根太材を前記レール部材に対し押圧金具で前記ナットを利用してボルト締め固定するように構成されていることを特徴とするソーラーパネル設置構造。
【請求項２】
請求項１に記載のソーラーパネル設置構造において、
前記両コンクリート基礎はその高さを異にし、その両上面が前後方向直線状につながるように同じ傾斜角の傾斜面に形成されていることを特徴とするソーラーパネル設置構造
【請求項３】
請求項１又は２に記載のソーラーパネル設置構造において、
前記レール部材がアルミニウム又はアルミニウム合金で押し出し成形されていることを特徴とするソーラーパネル設置構造。
【請求項４】
請求項１〜３のいずれか１項に記載のソーラーパネル設置構造において、
前記根太材が、ナットをスライド係止可能なレール状をなし、
前記根太材間に前記ソーラーパネルをかけ渡した状態で、該ソーラーパネルを根太材に対し押圧金具で前記ナットを利用してボルト締め固定するように構成されていることを特徴とするソーラーパネル設置構造。
【請求項５】
請求項４記載のソーラーパネル設置構造において、
前記根太材がアルミニウム又はアルミニウム合金で押し出し成形されていることを特徴とするソーラーパネル設置構造。
【請求項６】
設置面に前後方向所定間隔でコンクリート基礎を形成し、その上面左右方向に沿ってそれぞれ予めナットをスライド係止可能なレール部材を埋設固定し、
前記コンクリート基礎間にソーラーパネルを取り付ける複数の根太材をかけ渡した状態で該根太材を前記レール部材に対し押圧金具で前記ナットを利用してボルト締め固定するようにしたことを特徴とするソーラーパネル設置方法。
【請求項７】
請求項６に記載のソーラーパネル設置方法において、
前記根太材が、ナットをスライド係止可能なレール状をなし、
前記根太材間に前記ソーラーパネルをかけ渡した状態で、該ソーラーパネルを根太材に対し押圧金具で前記ナットを利用してボルト締め固定するようにしたことを特徴とするソーラーパネル設置方法。
【発明の詳細な説明】
【技術分野】
【０００１】
本発明は、メガソーラー発電施設の設置において、広大な土地に多数のソーラーパネルを設置するためのソーラーパネル設置構造及びソーラーパネル設置方法に関する。
【背景技術】
【０００２】
従来、メガソーラー発電施設におけるソーラーパネルの取り付けは、鋼材を組合せたソーラーパネル設置用架台が提案されている。
このソーラーパネル設置用架台は、図２１に示すように、等間隔に形成された基礎３０６の上に、ベース材３０４、横材３０７、アーム３０３、ソーラーパネル取り付けアングルフレーム３０２といった鋼材をボルトや溶接でトラス構造に組立て、ベース材３０４と横材３０７に等間隔に取り付けた両アングルフレーム３０２、３０２間にソーラーパネル３０１をそれぞれ固定するものであった（特許文献１参照）。
【先行技術文献】
【特許文献】
【０００３】
【特許文献１】特開２００４−３１１８８３号公報（図３）
【発明の概要】
【発明が解決しようとする課題】
【０００４】
しかしながら、特許文献１のように、鋼材で形成したトラス構造を基礎に取付けて架台を構成する場合、現場で全てを組立てるのに時間と手間が掛かるので、工場である程度のトラス構造を組立てて現場に運び、現場で完成させることが多かったが、重量物の運搬となり取り扱いが不便であった。
また、ソーラーパネルを傾斜して保持するために、ベース材、横材、アーム、アングルフレームといった長さや形状が異なる鋼材を多数準備する必要があり、その上、設置するソーラーパネルのサイズに応じて長さや形状が異なる鋼材を予め多数準備する必要がある。
このため、材料コストが高く付くと共に、現場での作業工程が多く、作業効率が悪いという問題があった。
【０００５】
本発明の解決しようとする課題は、サイズの異なるソーラーパネルの設置が可能で、材料コスト及び輸送コストの低減化と工期の短縮が可能であり、かつ、ソーラーパネルに作用する風荷重等の自然現象に対する強度を高めることができるソーラーパネル設置構造及びソーラーパネル設置方法を提供することにある。
【課題を解決するための手段】
【０００６】
上記課題を解決するため請求項１記載のソーラーパネル設置構造は、
設置面に前後方向所定間隔で立設したコンクリート基礎の上面左右方向に沿ってそれぞれ予めナットをスライド係止可能なレール部材が埋設固定され、
前記コンクリート基礎間にソーラーパネルを取り付ける複数の根太材をかけ渡した状態で該根太材を前記レール部材に対し押圧金具で前記ナットを利用してボルト締め固定するように構成されていることを特徴とする手段とした。
【０００７】
また、請求項２記載のソーラーパネル設置構造は、請求項１記載のソーラーパネル設置構造において、
前記両コンクリート基礎はその高さを異にし、その両上面が前後方向直線状につながるように同じ傾斜角の傾斜面に形成されていることを特徴とする手段とした。
【０００８】
また、請求項３記載のソーラーパネル設置構造は、請求項１又は２に記載のソーラーパネル設置構造において、
前記レール部材がアルミニウム又はアルミニウム合金で押し出し成形されていることを特徴とする手段とした。
【０００９】
また、請求項４記載のソーラーパネル設置構造は、請求項１〜３のいずれか１項に記載のソーラーパネル設置構造において、
前記根太材が、ナットをスライド係止可能なレール状をなし、
前記根太材間に前記ソーラーパネルをかけ渡した状態で、該ソーラーパネルを根太材に対し押圧金具で前記ナットを利用してボルト締め固定するように構成されていることを特徴とする手段とした。
【００１０】
また、請求項５記載のソーラーパネル設置構造は、請求項４記載のソーラーパネル設置構造において、
前記根太材がアルミニウム又はアルミニウム合金で押し出し成形されていることを特徴とする手段とした。
【００１１】
また、請求項６記載のソーラーパネル設置方法は、
設置面に前後方向所定間隔でコンクリート基礎を形成し、その上面左右方向に沿ってそれぞれ予めナットをスライド係止可能なレール部材を埋設固定し、
前記コンクリート基礎間にソーラーパネルを取り付ける複数の根太材をかけ渡した状態で該根太材を前記レール部材に対し押圧金具で前記ナットを利用してボルト締め固定するようにしたことを特徴とする手段とした。
【００１２】
また、請求項７記載のソーラーパネル設置方法は、請求項６に記載のソーラーパネル設置方法において、
前記根太材が、ナットをスライド係止可能なレール状をなし、
前記根太材間に前記ソーラーパネルをかけ渡した状態で、該ソーラーパネルを根太材に対し押圧金具で前記ナットを利用してボルト締め固定するようにしたことを特徴とする手段とした。
【発明の効果】
【００１３】
本発明のソーラーパネル設置構造では、上述のように、設置面に前後方向所定間隔で立設したコンクリート基礎の上面左右方向に沿ってそれぞれ予めナットをスライド係止可能なレール部材が埋設固定され、コンクリート基礎間にソーラーパネルを取り付ける複数の根太材をかけ渡した状態で該根太材をレール部材に対し押圧金具で前記ナットを利用してボルト締め固定するようにしたことで、以下に列挙する効果が得られる。
【００１４】
即ち、ソーラーパネルは、コンクリート基礎と一体に備えたレール部材に直接固定された根太材に固定されるため、コンクリート基礎に対するソーラーパネルの固定が強固であり、これにより、風荷重等の自然災害に対する強度を高めることができる。
【００１５】
また、各根太材は、レール部材にスライド係止可能に挿入したナットを利用してレール部材の任意の位置にボルト締め固定できるため、幅サイズの異なるソーラーパネルの設置が可能である。
これにより、従来のように、設置するソーラーパネルのサイズに応じて、ベース材、横材、アーム、アングルフレームといった長さや形状が異なる鋼材を多数準備する必要がなくなり、コンクリート基礎にレール部材を埋設するだけで幅サイズの異なる全てのソーラーパネルの設置が可能である。
従って、部品点数の削減による材料コストと輸送費の低減化、及び生産性の向上により少人数での工期の短縮が可能になる。
【００１６】
また、両コンクリート基礎はその高さを異にし、その両上面が前後方向直線状につながるように同じ傾斜角の傾斜面に形成されることで、ソーラーパネルを傾斜状に取り付けることができる。
【００１７】
また、レール部材をアルミニウム又はアルミニウム合金で押し出し成形することで、複雑な断面のレール部材を容易かつ安価に製造することができる。
【００１８】
また、根太材が、ナットをスライド係止可能なレール状をなし、根太材間にソーラーパネルをかけ渡した状態で、該ソーラーパネルを根太材に対し押圧金具でナットを利用してボルト締め固定するようにしたことで、ソーラーパネルを根太材の任意の位置にボルト締め固定できるため、幅サイズの異なるソーラーパネルの設置が可能である。
これにより、従来のように、設置するソーラーパネルのサイズに応じて、ベース材、横材、アーム、アングルフレームといった長さや形状が異なる鋼材を多数準備する必要がなくなり、
従って、部品点数の削減による材料コストと輸送費の低減化、及び生産性の向上により少人数での工期の短縮が可能になる。
【００１９】
また、根太材をアルミニウム又はアルミニウム合金で押し出し成形することで、複雑な断面の根太材を容易かつ安価に製造することができる。
【図面の簡単な説明】
【００２０】
【図１】実施例１のソーラーパネル設置構造を示す平面図である。
【図２】実施例１のソーラーパネル設置構造を示す正面図である。
【図３】ソーラーパネル設置状態を示す平面図である。
【図４】ソーラーパネル設置状態を示す側面図である。
【図５】図１のａ部拡大平面図である。
【図６】図１のａ部拡大断面図である。
【図７】図１のａ部拡大側面図である。
【図８】図３のｂ部拡大平面図である。
【図９】図３のｂ部拡大断面図である。
【図１０】図３のｂ部拡大側面図である。
【図１１】図３のｃ部拡大平面図である。
【図１２】図３のｃ部拡大断面図である。
【図１３】図３のｃ部拡大側面図である。
【図１４】レール部材を示す拡大断面図である。
【図１５】根太材を示す拡大正面図である。
【図１６】根太材取り付け用押圧金具を示す斜視図である。
【図１７】根太材取り付け用押圧金具を示す正面図である。
【図１８】根太材取り付け用押圧金具を示す底面図である。
【図１９】根太材取り付け用押圧金具を示す側面図である。
【図２０】ソーラーパネル取り付け用押圧金具を示す拡大断面図である。
【図２１】従来例のソーラーパネル設置構造を示す斜視図である。
【発明を実施するための形態】
【００２１】
以下にこの発明の実施例を図面に基づいて説明する。
【実施例１】
【００２２】
まず、この実施例１のソーラーパネル設置構造を図１〜６に基づいて説明する。
このソーラーパネル設置構造は、コンクリート基礎１と、レール部材２と、根太材３と、根太材取り付け用押圧金具４と、ソーラーパネル取り付け用押圧金具５、６と、を主な構成として備えている。
【００２３】
さらに詳述すると、前記コンクリート基礎１は、図１、４に示すように、前後方向に所定間隔の元に設置されるもので、両コンクリート基礎１は、互いにその高さを異にし、その両上面が前後方向直線状につながるように同じ傾斜角の傾斜面１１に形成されている。
【００２４】
前記レール部材２は、根太材３をかけ渡して取り付け固定するためのもので、図７、１４に示すように、ナット４０をスライド係止可能な係止部２１、２１を有し、図１に示すように、両コンクリート基礎１の傾斜面１１にその左右方向に沿って埋設固定されている。
なお、レール部材２は、アルミニウム又はアルミニウム合金で押し出し成形されている。
【００２５】
前記根太材３は、図１、３、２０に示すように、複数のソーラーパネル７をかけ渡して取り付け固定するためのもので、略方形筒状で、その上面側にナット５０をスライド係止可能な係止部３１、３１を有したレール状をなし、その両側面に沿って前記根太材取り付け用押圧金具４を係止可能なフランジ部３２、３２を有している。
なお、根太材３は、アルミニウム又はアルミニウム合金で押し出し成形されている。
【００２６】
前記根太材取り付け用押圧金具４は、図１６〜１９に示すように、断面略三角形状をなし、その底面部４１にボルト挿通孔４２、円弧状上面部４３に大経の貫通孔４４がそれぞれ形成されている。また、その側面部４５の下端部には、押圧金具４のフランジ部３２、３２にそれぞれ係合して該押圧金具４をレール部材２に押し付ける押圧部４６を有している。
そして、図１、２示すように、両レール部材２、２間に複数の根太材３を所定間隔のもとにかけ渡し、図５〜７に示すように、両押圧金具４、４の押圧部４６をそれぞれ根太材３の両フランジ部３２、３２に係合した状態で、レール部材２にスライド係止したナット４０を利用し、押圧金具４をレール部材２に対しボルト４７で締め付け固定する。
【００２７】
前記ソーラーパネル取り付け用押圧金具５は、図３、８〜１０、２０に示すように、両根太材３、３上に前後方向に複数配列されたソーラーパネル７を、両ソーラーパネル７、７の各隣接部において根太材３に対し取り付け固定する金具である。
この押圧金具５は、図２０に示すように、ボルト挿通孔５１を有する底面部５２と、両ソーラーパネル７、７の側面に当接する側面部５３と、該両側面部５３、５３の上縁から外向きに突出してソーラーパネル７、７の外枠上面に当接するフランジ部５４、５４を有する断面形状をなしている。
そして、図２０に示すように、根太材３の係止部３１、３１にスライド係止したナット５０を利用し、押圧金具５を根太材３に対しボルト５５で締め付け固定する。
【００２８】
前記ソーラーパネル取り付け用押圧金具６は、図３、１１〜１３、２０に示すように、両根太材３、３上に前後方向に複数配列された前後両端部のソーラーパネル７を、ソーラーパネル７の前後両端部において根太材３に対し取り付け固定する金具である。
この押圧金具６は、図２０に示すように、ボルト挿通孔６１を有する底面部６２と、ソーラーパネル７、７の側面に当接する側面部６３と、該側面部６３、６３の上縁から外向きに突出してソーラーパネル７の外枠上面に当接するフランジ部６４と、根太材３に当接する脚部６５を有する断面形状をなしている。
そして、図２０に示すように、根太材３の係止部３１にスライド係止したナット５０を利用し、押圧金具５を根太材３に対しボルト５５で締め付け固定する。
なお、このボルト５５は、六角レンチで締め付けるタイプのものが用いられている。
【００２９】
次に、この実施例１の作用・効果を説明する。
この実施例１のソーラーパネル設置構造及びソーラーパネル設置方法では、上述のように、設置面に前後方向所定間隔で立設したコンクリート基礎１、１の上面左右方向に沿ってそれぞれ予めナット４０をスライド係止可能なレール部材２が埋設固定され、コンクリート基礎１、１間にソーラーパネル７を取り付ける複数の根太材３をかけ渡した状態で該根太材３をレール部材２に対し押圧金具４でナット５０を利用してボルト４７で締め付け固定するようにしたことで、以下に列挙する効果が得られる。
【００３０】
即ち、ソーラーパネル７は、コンクリート基礎１と一体に備えたレール部材２に直接固定された根太材３に固定されるため、コンクリート基礎１に対するソーラーパネル７の固定が強固であり、これにより、風荷重等の自然災害に対する強度を高めることができる。
【００３１】
また、各根太材３は、レール部材２にスライド係止可能に挿入したナット４０を利用してレール部材２の任意の位置にボルト４７で締め付け固定できるため、幅サイズの異なるソーラーパネル７の設置が可能である。
これにより、従来のように、設置するソーラーパネル７のサイズに応じて、ベース材、横材、アーム、アングルフレームといった長さや形状が異なる鋼材を多数準備する必要がなくなり、コンクリート基礎１にレール部材２を埋設するだけで幅サイズの異なる全てのソーラーパネル７の設置が可能である。
従って、部品点数の削減による材料コストと輸送費の低減化、及び生産性の向上により少人数での工期の短縮が可能になる。
【００３２】
また、両コンクリート基礎１はその高さを異にし、その両上面が前後方向直線状につながるように同じ傾斜角の傾斜面１１に形成されることで、ソーラーパネル７を傾斜状に取り付けることができる。
【００３３】
また、レール部材２をアルミニウム又はアルミニウム合金で押し出し成形することで、複雑な断面のレール部材２を容易かつ安価に製造することができる。
【００３４】
また、根太材３が、ナット５０をスライド係止可能なレール状をなし、根太材３、３間にソーラーパネル７をかけ渡した状態で、該ソーラーパネル７を根太材３に対し押圧金具５、６でナット５０を利用してボルト５５で締め付け固定するようにしたことで、ソーラーパネル７を根太材３の任意の位置に固定できるため、幅サイズの異なるソーラーパネル７の設置が可能である。
これにより、従来のように、設置するソーラーパネル７のサイズに応じて、ベース材、横材、アーム、アングルフレームといった長さや形状が異なる鋼材を多数準備する必要がなくなる。
従って、部品点数の削減による材料コストと輸送費の低減化、及び生産性の向上により少人数での工期の短縮が可能になる。
【００３５】
また、根太材３をアルミニウム又はアルミニウム合金で押し出し成形することで、複雑な断面の根太材を容易かつ安価に製造することができる。
【００３６】
以上本実施例を説明してきたが、本発明は上述の実施例に限られるものではなく、本発明の要旨を逸脱しない範囲の設計変更等があっても、本発明に含まれる。
【００３７】
例えば、実施例１では、コンクリート基礎を左右方向一体に形成したが、ブロック毎に切り離して設置するようにしてもよい。
【００３８】
また、実施例１では、１４枚のソーラーパネルを設置した例を示したが、ソーラーパネルの設置枚数や配列は任意である。
【符号の説明】
【００３９】
１  コンクリート基礎
１１  傾斜面
２  レール部材
２１  係止部
３  根太材
３１  係止部
３２  フランジ部
４  根太材取り付け用押圧金具
４０  ナット
４１  底面部
４２  挿通孔
４３  上面部
４４  貫通孔
４５  側面部
４６  押圧部
４７  ボルト
５  ソーラーパネル取り付用押圧金具
５０  ナット
５１  貫通孔
５２  底面部
５３  側面部
５４  フランジ部
５５  ボルト
６  ソーラーパネル取り付用押圧金具
６１  挿通孔
６２  底面部
６３  側面部
６４  フランジ部
６５  脚部
７  ソーラーパネル
【図１】
2014145190.tif 000003
【図２】
2014145190.tif 000004
【図３】
2014145190.tif 000005
【図４】
2014145190.tif 000006
【図５】
2014145190.tif 000007
【図６】
2014145190.tif 000008
【図７】
2014145190.tif 000009
【図８】
2014145190.tif 000010
【図９】
2014145190.tif 000011
【図１０】
2014145190.tif 000012
【図１１】
2014145190.tif 000013
【図１２】
2014145190.tif 000014
【図１３】
2014145190.tif 000015
【図１４】
2014145190.tif 000016
【図１５】
2014145190.tif 000017
【図１６】
2014145190.tif 000018
【図１７】
2014145190.tif 000019
【図１８】
2014145190.tif 000020
【図１９】
2014145190.tif 000021
【図２０】
2014145190.tif 000022
【図２１】
2014145190.tif 000023